(57)【要約】【課題】  複数の番組の中から、ユーザが所望のデジタル画像を選び出し、それらのデジタル画像を用い簡単にプレイリスト作成や他記録媒体へのダビングの際のデジタル画像の選択を行う事が可能なプレイリスト作成装置を提供することにある。【解決手段】  記録されている画像データから選択した１つの画像データに対して、特定の条件で一致する他の画像データを選択候補として、表示画面内に上書き表示する。【選択図】  図１
2012070438.tif 000002
【特許請求の範囲】
【請求項１】
表示手段と接続可能な装置であって、
記録媒体に記録されているデジタル画像及びデジタル画像に関する情報を表示手段に表示する出力手段と、
前記記録媒体に記録されているデジタル画像に関する情報に基づき、デジタル画像を選択する制御手段と、を有し、
前記制御手段は、ユーザが指定するデジタル画像に関する情報に該当するデジタル画像を前記記録媒体に記録されているデジタル画像から選択し、選択されたデジタル画像を示す情報を前記出力手段を介し前記表示手段に上書き表示することを特徴とするデジタル画像記録再生装置。
【発明の詳細な説明】
【技術分野】
【０００１】
本発明は、テレビ放送等のデジタル画像をHDDやDVD等に記録できるデジタルレコーダに関し、特に、プレイリスト作成が出来るデジタルレコーダに関する。
【背景技術】
【０００２】
近年HDDレコーダでは、記録媒体の大容量化が進み、大量のデジタル画像（たとえば番組等）を記録媒体に保存して楽しむユーザが増加している。その際には、ユーザがプレイリストを作成して好きな番組のみを選択して再生する事ができる。また、ユーザは好みのデジタル画像を他の記録媒体にダビングし保存することもできる。ところが、複数のデジタル画像からのプレイリスト作成や他記録媒体への記録の際のデジタル画像の選択は、現行では、ユーザが所望のデジタル画像を一つ一つ選択する必要があり、今後さらなる記録媒体の大容量化に伴うデジタル画像の増大により、多くの時間と労力が必要となることが予想される。
【０００３】
この問題を解決する一つの手段として記録再生装置（特開2004-62921）がある。前記文献では、記録媒体に録画された複数の番組に対してユーザが選択した番組と同時間帯等の条件が一致する番組を抽出する手法について記載されている。
【先行技術文献】
【特許文献】
【０００４】
【特許文献１】特開２００４−６２９２１号公報
【発明の概要】
【発明が解決しようとする課題】
【０００５】
しかし前記文献では、ユーザが選択した番組と同時間帯等の条件が一致する番組を抽出する手法については記載されているが、記録媒体から検索された当該番組をどのように表示し、ユーザがどのように扱うかについては考慮されていない。本発明の課題は、複数の番組の中から、ユーザが所望のデジタル画像を選び出し、それらのデジタル画像を用い簡単にプレイリスト作成や他記録媒体へのダビングの際のデジタル画像の選択を行う事が可能なプレイリスト作成装置を提供することにある。
【課題を解決するための手段】
【０００６】
ランダムアクセス可能なデジタル画像記録再生装置であって、記録媒体に記録されているデジタル画像及びデジタル画像に関する情報を表示手段に表示する出力手段と、前記記録媒体に記録されているデジタル画像に関する情報に基づき、デジタル画像を選択する制御手段とを有し、前記制御手段は、ユーザが指定するデジタル画像に関する情報に該当するデジタル画像を前記記録媒体に記録されているデジタル画像から選択し、選択されたデジタル画像を示す情報を前記出力手段を介し前記表示手段に上書き表示することとする。
【発明の効果】
【０００７】
ユーザの使い勝手が向上する。
【図面の簡単な説明】
【０００８】
【図１】プレイリスト作成時の番組選択画面のイメージ図
【図２】プレイリスト選択画面のイメージ図
【図３】プレイリスト選択画面のイメージ図
【図４】プレイリスト作成装置のブロック図
【図５】プレイリスト作成処理フロー
【図６】プレイリスト作成処理フロー
【図７】他記録媒体へのダビング番組選択画面イメージ図
【図８】ダビングリスト選択画面のイメージ図
【図９】ダビングリスト選択画面のイメージ図
【発明を実施するための形態】
【０００９】
以下、本発明の実施例を説明する。
【実施例１】
【００１０】
図１は、本発明を用いた際のプレイリスト作成時の番組選択画面のイメージを示す。001はテレビ画面表示エリア、002は既に記録されている番組を示し（図中は文字のみでの表記になっているが、静止画や動画のサムネイル画像とそれに付随した番組タイトル、記録日時、チャンネル情報等を文字で表現したもの）、図１では少なくとも記録番組1〜記録番組10まで記録されており、その時の番組情報が表示されている。またその時の番組群がある領域を番組リストと表示している。003はユーザがプレイリストの作成に選択した番組を示している。図では、ユーザは記録番組1を選択した例である。また、この選択番組群がある領域をプレイリスト作成画面と表示している。004は、ユーザが番組リストの中からプレイリスト作成対象の番組を選択した際に、選択番組とある条件が一致した番組をプレイリスト追加番組候補として表示画面にテロップとして表示する。この際、検索に用いた条件やプレイリストに登録しない（キャンセル）も表示する。
【００１１】
次に、図２に、本発明を用いた際のプレイリスト選択画面を示す。005は、図１のテロップに相当する。ユーザは、このテロップの中から候補番組を全てプレイリストに追加するか、個々に選択して追加するか、キャンセルするかの選択を行う事が可能である。ユーザがテロップの中から(1)番目の番組を選択すると、プレイリスト作成画面に登録し006の様に表示する。
【００１２】
また、ユーザが所望の番組を選択した際に、プレイリストの候補番組を表示する別の例として図３を示す。これは、ユーザの選択番組と検索条件が合致した番組を番組リスト、プレイリスト作成画面とは別の領域（図では検索結果画面と表記）に静止画または動画でサムネイル表示する。ユーザはこの検索結果画面の中で、候補番組を全てプレイリストに追加するか、所望の番組のみを追加するか、このモードキャンセルするか、の選択をする事が可能である。検索番組をサムネイル表示できる為、ユーザの使い勝手が向上する。
【００１３】
本発明の実施形態のブロック図を図４に示す。記録部には既に複数の番組とそれぞれの付属情報（サブ情報とも言う、以下省略）が記憶されている事とする。ユーザがその番組の中からプレイリストに登録したい番組を選択すると、入力部より選択情報が制御部に通知される。制御部では、ユーザ選択番組の付属情報と検索条件を元に、記録媒体の他番組の付属情報を検索して番組候補の選定を行う。メモリ部には既にプレイリスト作成画面を保存しておく。制御部により選定した候補番組の付属情報をそのプレイリスト作成画面にテロップとして重ねて表示画面に表示する。
また、候補番組をサムネイルとして表示する際には、制御部により決定された候補番組の任意のフレーム情報（静止画サムネイルの場合。動画サムネイルの時には任意の位置の動画情報）を、画像処理部により画像伸張処理を行いメモリ部に保存する。そして、予めメモリ部に保存されているプレイリスト作成画面の番組候補領域に重ね、全ての検索が終了した時に表示画面に表示を行う。
【００１４】
次に処理のフローを図５に示す。プレイリスト作成画面においてユーザがプレイリストに追加したい番組を選択した際には、まずその番組をプレイリストに登録する。そしてその付属情報を元に、それ以外の番組の付属情報検索を行い条件が一致するか否かを確認する。条件が一致していた場合は、プレイリスト候補の番組とする。条件が一致しなかった時には、次の番組の付属情報を解析して条件と一致するか確認する。そして全ての番組を検索するまでこの処理を行う。全ての番組を検索した後には、制御部によって候補番組のみをピックアップしたテロップを作成して、プレイリスト作成画面に重ねて表示し、ユーザのテロップ内番組選択待ちをする。次にユーザがそのテロップより全て追加を選択すると、候補番組を全てプレイリストに登録してまたプレイリスト作成画面に戻る。ユーザが表示された番組のいずれかを選ぶと、その番組をプレイリストに登録する。そして、候補番組が他にある場合には再度テロップを作成してプレイリスト作成画面に重ねて表示し、ユーザのテロップ内選択待ちを行う。キャンセルを選択した際には、テロップの表示を止めプレイリスト作成画面表示を行い、ユーザ番組選択待ちを行う。
【００１５】
候補番組をサムネイル表示する際のフロー図を図６に示す。テロップ表示する手法とほぼ同様だが候補番組を見つけた際には、番組の任意位置の静止画サムネイルか動画サムネ
イルをメモリ部の検索結果領域に貼り付け表示する。
【００１６】
上述の処理の流れでは、候補番組を検索する際に、付属情報を基に検索したが、この付属情報は例えば、記録番組の記録開始時刻、記録終了時刻、記録チャンネルを用いて、記録番組の中からユーザが選択した番組と同条件の番組を選択することで行ってもよい。また、ユーザが所望の番組を記録する際に番組のタイトルネームも記録し、ユーザがプレイリスト作成時に選択した記録番組の初めの数文字と同様の番組を記録番組の中から検索を行いプレイリストへの追加の候補としても良い。さらに、番組のコンテンツが映画の続編などのシリーズであるという情報が、各種放送や蓄積メディアに記録されているの番組ストリームに付加されている場合には、その情報を記録しておく。ユーザがプレイリスト作成時に、ユーザが選択した記録番組のシリーズ情報と同様のシリーズ情報をもつ記録番組を全ての記録番組の中から検索を行いプレイリストへの追加の候補とする。
【００１７】
ユーザが番組記録と共に記録する付属情報について説明する。ユーザが番組を記録する際に、記録番組の記録開始時間、記録番組の記録終了時間、記録番組の終了時間、記録番組のチャンネル情報、記録番組のタイトルネーム、記録番組のシリーズ情報のデータを同時に記録する。この情報の記録は、例えばVIDEO RECORDING規格(VR規格)に沿って、時間情報はVideo Manager Information領域のPL_CREATE_TMで記録し、それ以外の情報は、ユーザが自由に使用できるTest Data Manager領域、Manufacture's Information Table領域に記録する。また、VR規格に準拠しない自由なフォーマットを作成して同また他記録媒体に記録してもよい。
【実施例２】
【００１８】
図７は、本発明を用いた際の他記録媒体へのダビング番組選択画面（以下ダビング選択画面とする）のイメージを示す。007はテレビ画面表示エリア、008は既に記録されている番組を示し、図７では少なくとも記録番組1〜記録番組10まで記録されており、その時の番組情報が表示されている。またその時の番組群がある領域をHDD番組リストと表示している。009はユーザが他記録媒体へのダビング作成用に選択した番組を示している。例では、ユーザは記録番組1を選択した例を示している。また、この選択番組群がある領域をDVDへのダビングリストと表示している。010は、ユーザが他記録媒体へのダビングしたい記録番組を選択した際にテロップとして表示され、選択記録番組とある条件が一致した記録番組を表示する。この条件については後述する。このテロップでは、ユーザが選択した記録番組とある選択条件が一致した記録番組と、選択の無効を選ぶ事が出来る。
【００１９】
次に図８も同様に本発明を用いた際のプレイリスト選択画面を示す。011は、図７のテロップに相当し、ユーザがテロップの中からDVDへのダビングリストに登録したい番組を選択する。012は、011のテロップで選択した番組をDVDへのダビングリストに追加し表示している。本発明の処理の流れを説明する。まず前提として、地上波デジタル放送、地上波アナログ等の各種放送やDVDなどの蓄積メディア等に記録されている番組をユーザが録画、ダビングした記録番組と、記録日時、記録開始時間、記録終了時間、記録番組チャンネルを記録媒体に複数記録されている事とする。
(1)  ユーザが他記録媒体へのダビングを目的として他記録媒体へのダビング選択画面を選択する。
(2)  ユーザは、HDD番組リストの番組リストの中から他記録媒体へダビングしたい所望の記録番組を選択する（図７では記録番組1）。
(3)  ユーザ選択した記録番組の記録日時、記録開始時間、記録停止時間、記録チャンネルを他の記録番組の同情報と比較して記録日時が異なり同記録開始時刻、記録終了時刻、記録チャンネルの番組の検索を行い、条件を満たす記録番組をピックアップする。
(4)  ユーザが選択した記録番組をDVDへのダビングリスト画面に表示するとともに、(3)でピックアップされた記録番組をDVDへのダビングリストへの候補として010のテロップとして表示をする。
(5)  ユーザは、010の中から所望の番組を011の様に指定して選択する。
(6)  011により選択した記録番組をDVDへのダビングリスト画面に追加する。
(7)  次に、011で選択した番組以外の情報を010同様にテロップとして再度表示する。ユーザは、検索結果がなくなるか、検索結果の中に所望の記録番組がなく‘DVDダビングリストに登録しない’が選択されるまで繰り返し行う。
(8)  (2)のHDD番組リストの中から所望の番組を選択する画面に戻り、ユーザの選択を待つ。
【００２０】
この処理の流れでは、(3)で記録番組の記録日時、記録開始時刻、記録終了時刻、記録チャンネルを用いて、記録番組の中からユーザが選択した番組と同条件の番組を選択する方法について説明したが、以下の情報で検索を行ってもよい。
【００２１】
記録番組のタイトルネーム；ユーザが所望の番組を記録する際に番組のタイトルネームも記録する。ユーザがDVDへのダビングリストに選択した記録番組の初めの数文字と同様の番組を記録番組の中から検索を行いDVDへのダビングリストへの追加候補とする。
【００２２】
記録番組のシリーズ情報；番組のコンテンツが映画の続編などのシリーズであるという情報が、各種放送や蓄積メディアに記録されているの番組ストリームに付加されている場合には、その情報を記録しておく。ユーザがDVDへのダビングリスト選択時に、ユーザが選択した記録番組のシリーズ情報と同様のシリーズ情報をもつ記録番組を全ての記録番組の中から検索を行いDVDへのダビングリストへの追加の候補とする。
【００２３】
ユーザが番組記録と共に記録する付属情報については、実施例1と同様である。また、他記録媒体へダビングする際に他記録媒体の容量が小さい時には、ユーザが選択した記録番組をそのままのレートでダビングを行うと、記録容量が足りず全てをダビングできない可能性がある。そのような時には、ユーザが選択した記録データと検索によりピックアップした記録番組でレート計算を行い、ダビングする記録媒体の容量にあわせて、ダビングのレートの最適化を行う。このダビングレートの計算は、ユーザが選択した番組と検索によりピックアップされた記録番組の総記録時間により計算する。また、この際にもともとの記録レートを考慮してダビングレートを決定してもよい。
【００２４】
図９に上記ダビングレート最適化時の選択画面イメージ示す。ユーザが選択した記録番組と検索番組との間で予めダビングする記録媒体の容量に応じてレートの計算を行い、ユーザが012のテロップにおいて‘ビットレート変換で全て追加する’を選択する事で013、014を一括してDVDへのダビングリストに登録し、他記録媒体の容量により最適化したダビングレートで選択する事が出来、ユーザの手間を低減させる事が出来る。
【符号の説明】
【００２５】
００１・・・テレビ画面表示エリア、００２・・・記録済み番組、００３・・・プレイリスト作成のためにユーザが指定した番組、００４・・・テロップ（上書き表示）、００５・・・検索結果画面、００６・・・プレイリスト追加番組、００７・・・テレビ画面表示エリア、００８・・・記録済み番組、００９・・・ダビングリスト作成のためにユーザが指定した番組、０１０・・・テロップ（上書き表示）、０１１・・・テロップ（上書き表示）、０１２・・・ダビングリスト追加番組、０１３・・・ダビングリスト追加番組、０１４・・・ダビングリスト追加番組
【図１】
2012070438.tif 000003
【図２】
2012070438.tif 000004
【図３】
2012070438.tif 000005
【図４】
2012070438.tif 000006
【図５】
2012070438.tif 000007
【図６】
2012070438.tif 000008
【図７】
2012070438.tif 000009
【図８】
2012070438.tif 000010
【図９】
2012070438.tif 000011
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
コンテンツの表示方法であって、
表示手段中の第１の領域にコンテンツを表示し、前記第１の領域に表示されたコンテンツがユーザの指定操作により選択されると、前記第１の領域と同一画面上の第２の領域に、前記選択されたコンテンツに関連する複数のコンテンツを並べて一覧表示することを特徴とするコンテンツの表示方法。
【請求項２】
請求項１記載のコンテンツの表示方法であって、
前記第２の領域に一覧表示された複数のコンテンツはいずれも、前記選択された第１の領域に表示されたコンテンツ以外のコンテンツであることを特徴とするコンテンツの表示方法。